(57)【要約】【課題】バランス感覚が養えるとともに適度な運動を比較的短時間で行うことができる着座型運動装置を提供する。【解決手段】座席２を上下方向、前後方向、および左右方向のいずれかの方向またはいずれか２方向以上の方向に往復運動させる着座型運動装置１であって、座席の着座部分が前後方向に傾斜を有する。【選択図】    図１
0003121378.tif 000002
【実用新案登録請求の範囲】
【請求項１】
座席を上下方向、前後方向、および左右方向のいずれかの方向またはいずれか２以上の方向に往復運動させる着座型運動装置であって、
前記座席の着座部分が前後方向に傾斜を有する
ことを特徴とする着座型運動装置。
【請求項２】
前記座席の前端部および後端部のいずれにも前記着座型運動装置を操作するための操作パネルが設けられた
請求項１に記載の着座型運動装置。
【請求項３】
前部および後部のいずれかまたはいずれにも使用者がバランスを維持するために掴むことができるバランス補助具が備えられた
請求項１または請求項２に記載の着座型運動装置。
【請求項４】
前記バランス補助具は、
前記座席に一端が取り付けられた綱と前記綱の他端に取り付けられたリング状のハンドルとからなる
請求項１ないし請求項３のいずれか１項に記載の着座型運動装置。
【考案の詳細な説明】
【技術分野】
【０００１】
本考案は、座席に座った状態で適度な運動をするための装置に関するものである。
【背景技術】
【０００２】
近年、利用者が座ったサドル状の座席を様々な方向に揺動させてバランス感覚を養う着座型運動装置が注目を集めている。図９に示されるようなこれまでの着座型運動装置５１は、支持台５２に内蔵された駆動装置によって、その上方に水平に取り付けられた座席５３を、前後立体運動および左右立体運動させるように構成されている。
【考案の開示】
【考案が解決しようとする課題】
【０００３】
しかし、図９に示されるような着座型運動装置５１は、座席５３が支持台５２に内蔵された駆動装置によって駆動されるために座席５３の前後左右および立体運動の範囲に制約があり、例えば体力のある若者が適度な疲労感が得られる程度の激しい運動を行おうとすると、比較的長時間着座型運動装置５１を使用する必要があった。
本考案は、上述の問題に鑑みてなされたもので、バランス感覚が養えるとともに適度な運動を比較的短時間で行うことができる着座型運動装置を提供することを目的とする。
【課題を解決するための手段】
【０００４】
前記目的を達成するため、本考案においては以下の技術的手段を講じた。
すなわち、本考案に係る着座型運動装置は、座席を上下方向、前後方向、および左右方向のいずれかの方向またはいずれか２以上の方向に往復運動させる着座型運動装置であって、前記座席の着座部分が前後方向に傾斜を有する。
着座型運動装置をこのように構成することで、バランス感覚が養えるとともに適度な運動を比較的短時間で行うことができる。
【０００５】
好ましくは、前記座席の前端部および後端部のいずれにも前記着座型運動装置を操作するための操作パネルが設けられる。このように構成することで、使用者は前向きおよび後ろ向きのいずれの着座方向においても、無理な姿勢をとることなく操作パネルを操作することができる。
また、好ましくは、前部および後部のいずれかまたはいずれにも使用者がバランスを維持するために掴むことができるバランス補助具が備えらる。
【０００６】
使用者は、座席の運動によりバランスを崩した場合にもバランス綱により姿勢を立て直し、着座型運動装置による運動を継続して行うことができる。
なお、バランス補助具は着座型運動装置に取り付けられていれば、座席に取り付けられることを要しない。
さらに好ましくは、前記バランス補助具は、前記座席に一端が取り付けられた綱と前記綱の他端に取り付けられたリング状のハンドルとからなる。
【０００７】
バランス綱が座席に取り付けられてバランス綱と座席との相対位置が変化しないために、使用者は座席の動作にのみ注意を集中して運動を行うことができる。
【考案の効果】
【０００８】
本考案によると、バランス感覚が養えるとともに適度な運動を比較的短時間で行うことができる着座型運動装置を提供することができる。
【考案を実施するための最良の形態】
【０００９】
図１は本考案にかかる着座型運動装置１の正面図、図２は着座型運動装置１の平面図、図３は着座型運動装置１の側面図、図４は着座型運動装置１の斜視図、図５は座席２等を取り外した着座型運動装置１の斜視図、図６は座席２の取付構造を示す断面図である。
図１ないし図５において、着座型運動装置１は、支持台３、駆動装置４、座席２などからなる。
【００１０】
支持台３は、台座５、一対の脚部６ａ，６ｂ、および揺動機構収容部７などからなる。
台座５は、支持台３の最も下方に位置し、上方に位置する着座型運動装置１を安定して支えることができるように、平面視における面積が大きな略板状の形状となっている。
脚部６ａ，６ｂは、ともに一方の面が平面および他方の面が幅方向に弓状に彎曲した板状の部材を、平面側を対向させ長さ方向が台座５に垂直になるようにして台座５と一体化されている。
【００１１】
揺動機構収容部７は、脚部６ａ，６ｂの上端に位置して脚部６ａ，６ｂと一体となっている。揺動機構収容部７は内方が空洞となっており、空洞内に揺動機構８を収容する。
駆動装置４は、揺動機構８、揺動伝達部材９、および座席支持部材１０からなる。
揺動機構８は、座席支持部材１０に取り付けられた座席２を上下方向、前後方向、および左右方向のそれぞれの方向に往復運動させるためのものである。ここで「前後方向」とは、図１における左右方向をいうものとする。揺動機構８については、本出願人による特許出願の明細書（特願２００４−３７８１５６）にその詳細が記載されている。
【００１２】
揺動伝達部材９は、揺動機構８による動作を座席２に伝達するためのものであり、揺動機構８の上方において揺動機構８に連結されている。
座席支持部材１０は、その上方における各端部が全体として略単一の面内に収まるように、つまり上方における各端部に例えば平板を当接させて安定に保持できるように構成されている。また、座席支持部材１０は、図６に示されるように、下面における揺動伝達部材９と対向する部位に、前後方向における一方側から他方側に配置されるに従って徐々に長さが短くなった高さ調整部１１ａ，１１ｂ，１１ｃが設けられている。座席２は、高さ調整部１１ａ，１１ｂ，１１ｃにより、着座型運動装置１において着座部分が前後方向に傾斜を有している。
【００１３】
座席支持部材１０は、高さ調整部１１ａ，１１ｂ，１１ｃによって、揺動伝達部材９に対して前後方向に傾斜した状態で揺動伝達部材９の上部にネジ１２，１２，１２により固定されている。座席支持部材１０の上部には、座席２を取り付けるための掛止部１３，１３が複数設けられている。
掛止部１３，１３は、円筒の一方の端部を閉じたような形状をしており、開口する他方の端部には、他の部分と比べて内径の小さな内径小部１４が設けられている。掛止部１３，１３は、座席支持部材１０の上方の各端が形成する面に直角に配置され、閉じた一方の端部を下にして座席支持部材１０の他の部分と一体化されている。掛止部１３，１３には、内径小部１４の先端から軸方向下方に延びた図示しない切り込みが周方向に等間隔に複数入れられている。掛止部１３，１３は、この切り込みにより内径小部１４の開口部分の開口径を拡大することが可能である。
【００１４】
内径小部１４は、内側表面が軸方向について連続する凸曲面となっている。
座席２は、前後方向に長いいわゆるサドルであり、一体成形された樹脂製の骨格部１５、骨格部１５に支持された緩衝材である図示しないウレタンスポンジ、骨格部１５とスポンジとを覆う合図示しない合成皮革、および操作パネル１６ａ，１６ｂなどからなる。
骨格部１５は、下方に平板状の当接部１７、および掛止部１３，１３と同数の下方に突出する係合部１８，１８が設けられている。
【００１５】
当接部１７は、座席支持部材１０の上部に当接して座席２がぐらつくことなく安定に駆動装置４に固定されるように機能する。
係合部１８，１８は、全体として形状が略円柱状であってその軸心が当接部１７に直角となるように形成されている。係合部１８，１８の下端には、外径が掛止部１３，１３の内径以下であって内径小部１４の開口径よりも大きな外径大部１９が設けられている。外径大部１９の外周は軸方向について連続する凸曲面となっている。
【００１６】
座席２は、係合部１８，１８の外径大部１９が座席支持部材１０の掛止部１３，１３内に嵌め入れられて駆動装置４に固定されている。座席２を駆動装置４に固定するとき、掛止部１３，１３は内径小部１４が切り込みが設けられたことにより外側に開いて内径を拡大して係合部１８，１８の外径大部１９の嵌め入れを可能にする。内径小部１４の内側表面および外径大部１９の外周は、いずれも軸方向について連続する凸曲面となっているので、内径小部１４は外径大部１９が摺動することによって容易に押し広げられる。座席２は、掛止部１３，１３内において外径大部１９が内径小部１４の下端に引っ掛かって駆動装置４に固定される。
【００１７】
座席２を駆動装置４から取り外すときには、座席２の前後方向のいずれか一方の端を引き上げる。そうすると、座席２を駆動装置４に固定するときと同じく、引き上げられた端に近い係合部１８の外径大部１９が内径小部１４の開口部分を広げて掛止部１３から抜け出る。続いて座席２の他端側を引き上げて他の係合部１８と掛止部１３との嵌め入れを解除すれば、座席２を駆動装置４から取り外すことができる。
【００１８】
掛止部１３，１３に切り込みを設けるのではなく、係合部１８，１８に外径大部１９の先端から軸方向上方に延びた切り込みを周方向に等間隔に複数入れてもよい。この場合、外径大部１９が内側に絞り込まれ外径大部１９の外径が縮小可能なように、切り込みを若干の幅を有するものとする。
操作パネル１６ａ，１６ｂは、座席２上面の前後方向の端部にそれぞれ設けられている。操作パネル１６ａ，１６ｂは、着座型運動装置１の電源のオン・オフ、駆動装置４の動作の強弱等を設定するためのものである。操作パネル１６ａ，１６ｂは、同一の機能を有し、それぞれの同一の動作を指示するスイッチは、座席２内部で並列接続されていずれの操作パネル１６ａ，１６ｂの操作によっても同一の動作を行わせることができる。
【００１９】
座席２の前後の下部には、図１および図６に示されるように、それぞれバランス綱２０，２０が取り付けられている。バランス綱２０，２０は綱２１とハンドル２２とからなる。綱２１は、引っ張り強度の大きな幅広の帯状部材で形成されており、一端にハンドル２２が取り付けられ、他端が座席２の下部に固定されている。綱２１は、本革、またはケブラー等の高強度繊維を合成皮革で挟み込んだ部材等で形成される。ハンドル２２は、長円リング状であって各部が略円形の断面を有しており、長円リングは人が片手で握ることができる程度の大きさとなってる。
【００２０】
また、座席２の前後の下部には、ハンドル２２を保持するためのそれぞれ１対のハンドル保持部２３，２３が設けられている。１対のハンドル保持部２３，２３は、それぞれが円筒を略半割したような形状であって、内面の曲率がハンドル２２の断面外周と略等しく形成されている。ハンドル保持部２３，２３は、周方向について円筒を２分割したよりもやや大きくなっており、かつ周方向の両端部の間隔は円筒の径よりも小さい。そのため、ハンドル保持部２３，２３は、周方向の両端部間が広がりやすく容易にハンドル２２を出し入れすることができ、かつ受け入れたハンドル２２をしっかりと保持することができる。
【００２１】
バランス綱２０，２０は、支持台３に固定してもよい。
図７は着座型運動装置１の使用例を示す図である。
図７（ａ）に示されるように、座席２が前上がりの状態で着座型運動装置１を使用するときは、座席２が水平に設置されている場合に比べて座席２に座った状態を維持するのが容易ではないためにバランス感覚が一層要求され、かつ適度な運動を比較的短時間で行うことができる。また、使用者のヒップを引き締める効果も期待できる。
【００２２】
また、図７（ｂ）に示されるように、座席２が前下がりの状態で着座型運動装置１を使用するときも、座席２が水平に設置されている場合に比べて使用者が座席２に座った状態を維持するのが容易ではないためによりバランス感覚が要求され、かつ適度な運動を比較的短時間で行うことができる。また、使用者の脚部の筋肉を鍛えることができ、シェイプアップの効果も期待できる。
【００２３】
バランス綱２０，２０は、着座型運動装置１を使用して運動する図７に示されるいずれの場合においても、使用者がハンドル２２を握ることにより傾斜した座席２に座った状態を維持しやすくしている。したがって、着座型運動装置１は、若者だけでなくより広範な年齢層の者に対して、バランス感覚を養わせかつ適度な運動を短時間に行わせることができる。
【００２４】
図８は他の実施形態における着座型運動装置１Ｂの斜視図である。
着座型運動装置１Ｂは、着座型運動装置１におけるハンドル綱２０，２０に換えて、図８に示されるような金属棒を矩形状に曲げた取っ手２０Ｂ，２０Ｂが座席の前部および後部に設けられている。取っ手２０Ｂ，２０Ｂ上方の水平な部分には、握りやすいように弾性を有する樹脂が被覆されている。図８において図４と同一の部号が付された部位は、図４に示された着座型運動装置１におけるものと同一の構成である。
【００２５】
上述の実施形態において、着座型運動装置１、ならびに着座型運動装置１を構成する支持台３、駆動装置４、座席２、およびバランス綱２０の形状、材質、形成方法等を、本考案の趣旨に沿って適宜変更することができる。
【産業上の利用可能性】
【００２６】
本考案は、座席に座った状態で適度な運動をするための装置に利用可能である。
【図面の簡単な説明】
【００２７】
【図１】本考案にかかる着座型運動装置の正面図である。
【図２】着座型運動装置の平面図である。
【図３】着座型運動装置の側面図である。
【図４】着座型運動装置の斜視図である。
【図５】座席等を取り外した着座型運動装置の斜視図である。
【図６】座席の取付構造を示す断面図である。
【図７】着座型運動装置の使用例を示す図である。
【図８】着座型運動装置の他の実施形態を示す斜視図である。
【図９】従来の着座型運動装置の正面図である。
【符号の説明】
【００２８】
１，１Ｂ  着座型運動装置
２  座席
１６ａ，１６ｂ  操作パネル
２０  バランス補助具（バランス綱）
２０Ｂ  バランス補助具（取っ手）
２１  綱
２２  ハンドル
【図１】
0003121378.tif 000003
【図２】
0003121378.tif 000004
【図３】
0003121378.tif 000005
【図４】
0003121378.tif 000006
【図５】
0003121378.tif 000007
【図６】
0003121378.tif 000008
【図７】
0003121378.tif 000009
【図８】
0003121378.tif 000010
【図９】
0003121378.tif 000011